(57)【要約】【課題】利用者が場所に縛られることなく任意の場所で自身のプロフィールや体調、運動の目的等に応じて常に最適な運動シナリオにより運動を行えるようにする。【解決手段】利用者にその生体データを検出するセンサユニットＳＵ１〜ＳＵｎを装着すると共に、携帯通信端末ＭＴ１〜ＭＴｎを所持させる。そして、管理装置ＣＳにおいて、上記利用者の個人データ、生体データ及び運動目的を表すデータを分析し、その分析結果をもとに上記利用者に適する運動シナリオを作成して上記携帯通信端末に配信し利用者に提示する。また、運動中に刻々と変化する利用者の生体データを携帯通信端末ＭＴ１〜ＭＴｎから利用者端末ＵＴ１〜ＵＴｎを経由して管理装置ＣＳへ送り、この運動中の利用者の生体データもとに運動シナリオを修正して携帯通信端末ＭＴ１〜ＭＴｎに配信し、利用者に提示する運動シナリオを更新するようにしている。【選択図】      図１
2006263002.tif 000002
【特許請求の範囲】
【請求項１】
利用者に装着され当該利用者の生体データを検出するセンサユニットと、前記利用者が所持する携帯通信端末と、この携帯通信端末に対し通信ネットワークを介して接続可能な管理装置とを具備する運動指導システムであって、
前記管理装置は、
前記利用者の個人データ、生体データ及び運動目的を表すデータを前記携帯通信端末から受信し記憶する手段と、
前記記憶された利用者の個人データ、生体データ及び運動目的を表すデータを分析し、その分析結果をもとに前記利用者に適する第１の運動シナリオを作成する手段と、
前記作成された第１の運動シナリオを前記携帯通信端末に配信する手段と
を備え、
前記携帯通信端末は、
前記利用者の個人データ、運動前の生体データ及び運動目的を表すデータを前記管理装置へ送信する手段と、
前記管理装置から配信される第１の運動シナリオを受信し、この受信された第１の運動シナリオを利用者に提示する手段と
を備えることを特徴とする運動指導システム。
【請求項２】
前記携帯通信端末は、
前記第１の運動シナリオに従い運動中の前記利用者の生体データを前記センサユニットから取得し、この取得された運動中の利用者の生体データを前記管理装置に送信する手段を、さらに備え、
前記管理装置は、
前記携帯通信端末から送信された運動中の利用者の生体データを受信し、この受信された生体データと前記分析結果をもとに前記第１の運動シナリオを第２の運動シナリオに変更する手段と、
前記変更された第２の運動シナリオを前記携帯通信端末に配信する手段と
を、さらに備え、
前記携帯通信端末は、
前記管理装置から配信される第２の運動シナリオを受信し、この受信された第２の運動シナリオを前記第１の運動シナリオに代えて利用者に提示する第２の提示手段を、さらに備えることを特徴とする請求項１記載の運動指導システム。
【請求項３】
前記携帯通信端末が内蔵スピーカと外部スピーカの少なくとも一方を備える場合に、
前記第１又は第２の提示手段は、
前記受信された運動シナリオに含まれる指導内容を表す文字データを音声に変換する手段と、
前記変換された音声を前記内蔵スピーカと外部スピーカの少なくとも一方から拡声出力させる手段と
を有することを特徴とする請求項１又は２記載の運動指導システム。
【請求項４】
前記携帯通信端末が内蔵スピーカと外部スピーカの少なくとも一方を備える場合に、
前記第１又は第２の提示手段は、
音調の異なる複数の音楽データを記憶する手段と、
前記受信された運動シナリオの内容を判定する手段と、
前記判定された内容に対応する音調の音楽データを前記記憶された複数の音楽データの中から選択する手段と、
前記選択された音楽データによる音を前記内蔵スピーカと外部スピーカの少なくとも一方から出力させる手段と
を有することを特徴とする請求項１又は２記載の運動指導システム。
【請求項５】
前記携帯通信端末が振動体を備える場合に、
前記第１又は第２の提示手段は、
前記受信された運動シナリオの内容をもとに運動のテンポを判定する手段と、
前記判定されたテンポに同期して前記振動体を駆動する手段と
を有することを特徴とする請求項１又は２記載の運動指導システム。
【請求項６】
前記管理装置は、
前記携帯通信端末の現在位置を表す位置データを取得する手段と、
前記取得された位置データをもとに、前記携帯通信端末の現在位置を含む地域の環境予報データを取得する手段と、
前記取得された環境予報データをもとに、前記第１又は第２の運動シナリオを修正する手段と
を、さらに備えることを特徴とする請求項１又は２記載の運動指導システム。
【請求項７】
前記管理装置は、
前記受信された生体データを、前記分析結果をもとに判定されたしきい値と比較する手段と、
前記比較の結果、前記受信された生体データがしきい値を超えた場合に、運動停止指示メッセージを含む運動シナリオを携帯通信端末へ送信する手段と
を、さらに備え、
前記携帯通信端末は、
音を出力するスピーカと、
前記管理装置から前記運動停止指示メッセージを含む運動シナリオを受信した場合に、当該受信された運動シナリオに含まれる運動停止指示メッセージを音声メッセージに変換する手段と、
前記変換された音声メッセージを前記スピーカから拡声出力させる手段と
を、さらに備えることを特徴とする請求項１又は２記載の運動指導システム。
【請求項８】
前記センサユニットは、利用者の身体の傾きを検出する傾きセンサを備え、
前記管理装置は、
前記携帯通信端末から送信された運動中の利用者の生体データを受信し、この受信した生体データに含まれる前記傾きの検出データをもとに利用者の転倒を検出する手段と、
前記利用者の転倒が検出された場合に、前記携帯通信端末へ当該利用者の安否を確認するための問い合わせメッセージを送信する手段と、
前記問い合わせメッセージの送信に対し一定時間以内に携帯通信端末から応答が受信されない場合に、前記携帯通信端末の現在位置を表す位置データを取得する手段と、
前記取得された位置データをもとに当該利用者に対する救済処理を実行する手段と
を、さらに備えることを特徴とする請求項１又は２記載の運動指導システム。
【請求項９】
利用者の個人データ、運動目的を表すデータ及び生体データを通信ネットワークを介して管理装置へ送信する手段と、
前記送信された利用者の個人データ、運動目的を表すデータ及び生体データをもとに前記管理装置により作成される運動シナリオを、前記通信ネットワークを介して受信する手段と、
前記受信された運動シナリオから指導内容を表す文字データを抽出し、この抽出された文字データを音声に変換する手段と、
前記変換された音声をスピーカから出力する手段と
を具備することを特徴とする携帯通信端末。
【請求項１０】
音調の異なる複数の音楽データを記憶する手段と、
前記受信された運動シナリオの内容を判定する手段と、
前記判定された内容に対応する音調の音楽データを前記記憶された複数の音楽データの中から選択する手段と、
前記選択された音楽データにより表される音をスピーカから出力する手段と
を、さらに具備することを特徴とする請求項９記載の携帯通信端末。
【発明の詳細な説明】
【技術分野】
【０００１】
この発明は、管理装置から利用者が所持する携帯通信端末へ通信ネットワークを利用して運動シナリオを提供することにより利用者の運動を遠隔的に指導する運動指導システムとその携帯通信端末に関する。
【背景技術】
【０００２】
近年、利用者の自宅での運動を支援するシステムとして、通信ネットワークを利用して遠隔的に運動を指導するシステムが提案されている。例えば、利用者の身体各部に無線センサ装置を装着し、これらの無線センサ装置の計測データを利用者の腕に装着された腕時計端末で受信したのち、利用者のパーソナル・コンピュータ（利用者ＰＣ）に転送する。利用者ＰＣはインターネットを介してサーバに接続可能となっており、サーバのライブラリから二次加工用プログラムをダウンロードする。そして、この二次加工用プログラムに従い、上記無線センサ装置の計測データに基づいて運動強度や消費カロリ、燃焼脂肪量等の二次加工データを生成し、この生成されたデータを腕時計端末に表示する（例えば、特許文献１を参照。）。
【０００３】
【特許文献１】特開２００３−１７５１３９（第１図）
【発明の開示】
【発明が解決しようとする課題】
【０００４】
しかしながら、上記従来の運動支援システムでは、利用者の身体状況や要望とは無関係に画一的な運動プログラムが用意されるため、利用者の運動能力や体調等を考慮した最適な運動を行うことが困難だった。また、利用者は運動中に自己の生体データや消費カロリを把握することは可能であるが、これらのデータをもとに運動の内容を変更するか否かは利用者自身が判断しなければならない。このため、運動の過不足が発生し易く、場合によっては体調の急変や故障等を引き起こす危険があり、きわめて好ましくなかった。
【０００５】
この発明は上記事情に着目してなされたもので、その目的とするところは、利用者が場所に縛られることなく任意の場所で自身のプロフィールや体調、運動の目的等に応じて常に最適な運動シナリオにより運動を行えるようにした運動指導システムとその携帯通信端末を提供することにある。
【課題を解決するための手段】
【０００６】
この発明は上記事情に着目してなされたもので、その目的とするところは、利用者にその生体データを検出するセンサユニットを装着すると共に、携帯通信端末を持たせる。一方、管理装置には運動シナリオの作成手段を設け、上記利用者の個人データ、生体データ及び運動目的を表すデータを携帯通信端末から通信ネットワークを介して受信して記憶し、この記憶された利用者の個人データ、生体データ及び運動目的を表すデータを分析して、その分析結果をもとに上記利用者に適する第１の運動シナリオを作成する。そして、この作成された第１の運動シナリオを上記携帯通信端末に配信して、利用者に提示するようにしたものである。
【０００７】
したがってこの発明によれば、管理装置により利用者の個人データ、生体データ及び運動目的を表すデータが分析され、その分析結果をもとに上記利用者に適する第１の運動シナリオが作成されて、利用者が所持する携帯通信端末に配信される。運動シナリオは、例えば運動の内容と順序と時間を表すデータにより構成される。このため利用者は、自宅や公園、路上等、任意の場所において、自身の個人データや生体データ、自身の運動の目的が反映された最適な運動シナリオに従い運動を行うことが可能となる。すなわち、利用者は場所を選ぶことなく、あたかもスポーツジムやフィットネスクラブにおいてトレーナの指導を受けているかのように適切な運動を行うことが可能となる。
【０００８】
またこの発明は、利用者が上記配信された第１の運動シナリオに従い運動を行っている期間に、当該利用者の生体データをセンサユニットから取得して、この取得された運動中の利用者の生体データと上記分析結果をもとに上記第１の運動シナリオを修正して第２の運動シナリオを作成する。そして、この作成された第２の運動シナリオを管理装置から携帯通信端末に配信し、この配信された第２の運動シナリオを上記第１の運動シナリオに代えて利用者に提示することも特徴とする。  
したがって、運動中に利用者の生体データが変化すると、この変化に応じて運動シナリオが適応的に修正される。このため、利用者は運動中においても、常に刻々と変化する自身の体調変化に応じた最適な運動シナリオに従い運動を行うことができる。このため、利用者は運動中の体調変化も考慮して過不足なくかつ安全に運動を行うことができる。
【０００９】
さらにこの発明は、携帯通信端末において運動シナリオを提示する際に、管理装置から配信された運動シナリオに含まれる指導内容を表す文字データを音声に変換し、この変換された音声を携帯通信端末の内蔵スピーカ又は外部スピーカの少なくとも一方から拡声出力することも特徴とする。  
したがって、利用者は携帯通信端末のディスプレイに表示される文字データを視認することなく、音声メッセージにより運動の指導内容を確認することができる。
【００１０】
さらにこの発明は、携帯通信端末に音調の異なる複数の音楽データを記憶しておき、運動シナリオを提示する際に、管理装置から配信された運動シナリオの内容を判定し、この判定された内容に対応する音調の音楽データを上記記憶された複数の音楽データの中から選択する。そして、この選択された音楽データによる音を携帯通信端末の内蔵スピーカ又は外部スピーカの少なくとも一方から拡声出力することも特徴とする。  
したがって、運動中に携帯通信端末からは運動シナリオの内容に対応する音調の音楽が出力される。このため、利用者は提示された運動シナリオの内容に合ったテンポの音楽に乗ってリズミカルに楽しく運動を行うことが可能となる。
【００１１】
さらにこの発明は、携帯通信端末において運動シナリオを提示する際に、管理装置から配信された運動シナリオの内容をもとに運動のテンポを判定し、この判定されたテンポに同期して振動体を駆動することも特徴とする。  
したがって、運動中に携帯通信端末では運動シナリオにより指定された運動のテンポに応じて振動が発生する。このため、利用者は音を出すことを制限又は禁止された場所でも、提示された運動シナリオの内容に合ったテンポでリズミカルに運動を行うことが可能となる。また音に頼らないため、耳の不自由な利用者でも健常者と同様に運動シナリオにしたがって運動を行うことができる。
【００１２】
さらにこの発明は、管理装置において、携帯通信端末の現在位置を表す位置データを取得すると共に、この取得された位置データをもとに携帯通信端末の現在位置を含む地域の環境予報データを取得する。そして、この取得された環境予報データをもとに、運動シナリオを修正することも特徴とする。  
したがって、利用者が運動を行う場所の環境予報データをもとに運動シナリオが修正される。例えば、運動場所の気象や気温、風量、日照の変化に応じて、運動シナリオが修正される。このため利用者は、運動場所として如何なる場所を選んでも、また移動しながら運動を行う場合でも、その場所ごとの環境状態に応じて常に最適なシナリオにより運動を行うことができる。
【００１３】
さらにこの発明は、管理装置において、携帯通信端末から送られた利用者の生体データを当該利用者の個人情報等をもとに予め設定されたしきい値と比較し、この比較の結果生体データがしきい値を超えた場合に運動停止指示メッセージを含む運動シナリオを携帯通信端末へ送信する。そして、携帯通信端末において、上記管理装置から上記運動停止指示メッセージを含む運動シナリオを受信した場合に、当該受信された運動シナリオに含まれる運動停止指示メッセージを音声メッセージに変換し、この変換された音声メッセージをスピーカから拡声出力することも特徴とする。  
したがって、利用者が携帯通信端末のディスプレイを視認せずに運動を行う場合でも、利用者は運動停止指示メッセージを音声により確実に認識することができ、これにより運動を確実に停止することができる。
【００１４】
さらにこの発明は、センサユニットに、利用者の身体の傾きを検出する傾きセンサを備え、管理装置において、携帯通信端末から送信された運動中の利用者の生体データに含まれる上記傾きの検出データをもとに利用者の転倒を検出し、上記利用者の転倒が検出された場合に、携帯通信端末へ当該利用者の安否を確認するための問い合わせメッセージを送信する。そして、この問い合わせメッセージの送信に対し一定時間以内に携帯通信端末から応答が受信されない場合に、上記携帯通信端末の現在位置を表す位置データを取得し、上記取得された位置データをもとに当該利用者に対する救済処理を実行することも特徴とする。  
したがって、運動中に利用者が転倒した場合に、当該利用者に対し自動的に安否確認が行われることになる。このため、利用者の状態をいち早く確認することができ、応答がない場合に迅速な対応処置を講じることが可能となる。
【発明の効果】
【００１５】
要するにこの発明では、利用者にその生体データを検出するセンサユニットを装着すると共に、携帯通信端末を持たせ、管理装置には運動シナリオの作成手段を設けている。そして、利用者の個人データ、生体データ及び運動目的を表すデータを携帯通信端末から通信ネットワークを介して管理装置へ送信し、管理装置によりこの利用者の個人データ、生体データ及び運動目的を表すデータを分析して、その分析結果をもとに上記利用者に適する運動シナリオを作成する。そして、この作成された運動シナリオを上記携帯通信端末に配信して利用者に提示するようにしている。
【００１６】
したがってこの発明によれば、利用者が場所に縛られることなく任意の場所で自身のプロフィールや体調、運動の目的等に応じて常に最適な運動シナリオにより運動を行うことができる運動指導システムとその携帯通信端末を提供することができる。
【発明を実施するための最良の形態】
【００１７】
以下、図面を参照してこの発明の一実施形態を説明する。  
図１は、この発明に係わる運動指導システムの一実施形態を示す概略構成図である。この実施形態の運動指導システムは、利用者が所持する携帯通信端末ＭＴ１〜ＭＴｎを、利用者の自宅等に設置される利用者端末ＵＴ１〜ＵＴｎに接続し、さらにこの利用者端末ＵＴ１〜ＵＴｎからスポーツクラブやフィットネスクラブ等に設置される管理装置ＣＳに対し通信ネットワークＮＷを介して接続可能としている。またそれと共に、各利用者にセンサユニットＳＵ１〜ＳＵｎを装着し、このセンサユニットＳＵ１〜ＳＵｎにより検出された生体データを携帯通信端末ＭＴ１〜ＭＴｎで受信して、この携帯通信端末ＭＴ１〜ＭＴｎから利用者端末ＵＴ１〜ＵＴｎを介して管理装置ＣＳへ転送するようにしている。
【００１８】
通信ネットワークＮＷは、インターネットに代表されるＩＰ（Internet Protocol）網と、このＩＰ網にアクセスするための複数のアクセス網とから構成される。アクセス網としては、例えばＤＳＬ（Digital Subscriber Line）や光伝送路を使用する有線加入者網、ＣＡＴＶ（Cable Television）網、無線ＬＡＮ（Local Area Network）網、移動通信網、専用線網が用いられる。
【００１９】
センサユニットＳＵ１〜ＳＵｎは、例えば利用者の腕や胴部に装着可能なベルト状に形成され、このベルト部分に各種センサを取着している。図２はその構成の一例を示すブロック図である。すなわち、センサユニットＳＵ１〜ＳＵｎは、センサ群１０と、通信回路２０とから構成される。センサ群１０は、心拍センサ１１と、血圧センサ１２と、体温センサ１３と、発汗センサ１４と、歩数センサ１５と、加速度センサ１６と、ＵＶセンサ２２と、気象センサ２３とを備え、さらに計時回路１７、ジャイロセンサ１８及びＧＰＳ（Global Positioning System）受信機１９を備えている。
【００２０】
心拍センサ１１は、利用者の心拍或いは脈拍を検出する。血圧センサ１２は、利用者の血圧を検出する。体温センサ１３は、利用者の体温を検出する。発汗センサ１４は、利用者の発汗の量を検出する。歩数センサ１５は、利用者の歩数をカウントする。加速度センサ１６は、利用者の動きの量を検出するために用いる。ＵＶセンサ２２は、紫外線の強さを検出する。気象センサ２３は、外気温や気圧、湿度等の気象に関係するデータを検出する。ジャイロセンサ１８は、利用者の身体の傾きを検出する。ＧＰＳ受信機１９は、利用者の現在位置を検出するために使用される。なお、計時回路１７は、上記各センサに対し一定の時間間隔で検出動作タイミングを指定するタイミング信号を発生する。
【００２１】
通信回路２０は、上記センサ群１０の各センサにより上記一定の時間間隔で得られる検出データをまとめて生体データとし、この生体データにより無線信号を変調してアンテナ２１から送信する。
【００２２】
携帯通信端末ＭＴ１〜ＭＴｎは例えば携帯電話機からなり、次のように構成される。図３はその構成を示すブロック図である。  
すなわち、携帯通信端末ＭＴ１〜ＭＴｎは携帯通信用のアンテナ５１及び通信回路５２を備える。このアンテナ５１及び通信回路５２は、図示しない携帯通信用の基地局との間、及び利用者端末ＵＴ１〜ＵＴｎとの間で無線通信を行うために使用される。例えば、音声通話時には、上記通信回路５２により受信復調された受話音声データが制御部５５で復号されたのち音声入出力インタフェース（音声入出力Ｉ／Ｆ）５６に入力される。そして、この音声入出力Ｉ／Ｆ５６によりアナログ信号に変換されさらに増幅されたのち、内蔵スピーカ５７から受話音声として拡声出力される。これに対し内蔵マイクロホン５８に入力された送話音声は、音声入出力Ｉ／Ｆ５６でディジタル信号に変換されたのち制御部５５に入力され、この制御部５５で符号化されることにより送話音声データとなる。通信回路５２では上記送話音声データにより無線信号が変調され、この変調信号が増幅されてアンテナ５１から送信される。なお、ヘッドホンユニット５９が接続されているときには、上記内蔵スピーカ５７及び内蔵マイクロホン５８に代わって、上記ヘッドホンユニット５９により音声信号の入出力が行われる。
【００２３】
また、携帯通信端末ＭＴ１〜ＭＴｎは、簡易通信用のアンテナ５３及び通信回路５４を備えている。この簡易通信用のアンテナ５３及び通信回路５４は、センサユニットＳＵ１〜ＳＵｎから送信される生体データを受信するために使用される。無線通信方式としては、例えばＢＴ（BlueTooth）（登録商標）等の近距離無線データ通信方式が使用される。なお、生体データを取得するための通信インタフェースとしては、他に赤外線通信方式や無線ＬＡＮの通信方式等を使用することが可能である。また、携帯通信端末ＭＴ１〜ＭＴｎとセンサユニットＳＵ１〜ＳＵｎとの間は信号ケーブルにより接続してもよい。
【００２４】
さらに、携帯通信端末ＭＴ１〜ＭＴｎは、入出力インタフェース（入出力Ｉ／Ｆ）６０及び外部記憶インタフェース（外部記憶Ｉ／Ｆ）６３を備えている。入出力Ｉ／Ｆ６０には、ダイヤルキーパッド等の入力部６１と、液晶ディスプレイ等の表示部６２が接続されている。
【００２５】
外部記憶Ｉ／Ｆ６３には、メモリカードＭＣが着脱可能に挿着される。メモリカードＭＣはＥＥＰＲＯＭからなり、例えば図４に示すようにプログラムエリア３１及びデータエリア３２を備えている。  
データエリア３２には、音楽データ記憶エリア３２ａ、生体データ記憶エリア３２ｂ及び運動シナリオ記憶エリア３２ｃが設けられる。音楽データ記憶エリア３２ａには、音調つまりテンポやリズム、雰囲気等の異なる複数の音楽データが記憶される。これらの音楽データは、運動に際し利用者がリズムやテンポをとったり、気分をリラックスするためのＢＧＭとして使用される。
【００２６】
生体データ記憶エリア３２ｂには、対応するセンサユニットＳＵ１〜ＳＵｎから送信された利用者の生体データがタイムスタンプを付されて記憶される。生体データには、先に述べたように利用者の心拍又は脈拍数、血圧値、体温、発汗の量、紫外線の強さ、気象データ、利用者の動きの量、身体の傾き、利用者の現在位置が含まれる。
【００２７】
運動シナリオ記憶エリア３２ｃには、利用者端末ＵＴ１〜ＵＴｎから転送される、現在実行中あるいは次に実行される運動シナリオが記憶される。なお、運動シナリオは、例えば運動の内容と順序と時間を表すデータにより構成される。運動の内容には、音楽データを選択するために使用される音楽識別コードも含まれる。
【００２８】
プログラムエリア３１には、運動シナリオプログラム３１ａと、音楽選択プログラム３１ｂと、音声認識・合成プログラム３１ｃと、生体データ管理プログラム３１ｄと、メール起動プログラム３１ｅが記憶される。これらのプログラムは、例えば管理装置ＣＳからダウンロードすることにより格納される。
【００２９】
運動シナリオプログラム３１ａは、管理装置ＣＳから配信された運動シナリオを通信Ｉ／Ｆ５２により受信して上記運動シナリオ記憶エリア３４ｃに記憶する。またそれと共に、利用者の運動開始操作に応じて上記記憶された運動シナリオを読み出す。このとき、運動シナリオに映像データが含まれている場合には、この映像データを入出力Ｉ／Ｆ６０により表示部６２に表示させる。
【００３０】
音楽選択プログラム３１ｂは、上記運動シナリオプログラム３１ａにより読み出された運動シナリオの内容に含まれる音楽識別コードに従い、上記音楽データ記憶エリア３２ａから当該運動内容に適したテンポ又は雰囲気の音楽データを選択的に読み出す。そして、この読み出された音楽データを音声入出力Ｉ／Ｆ５６に供給し、内蔵スピーカ５７又はヘッドホンユニット５９から出力させる処理を実行する。
【００３１】
音声認識・合成プログラム３１ｃは、上記運動シナリオプログラム３１ａにより読み出された運動シナリオに指導内容等を表す文字コードが含まれている場合に、この文字コードを抽出して対応する音声メッセージを音声合成する。そして、この音声メッセージを音声入出力Ｉ／Ｆ５６に供給し、内蔵スピーカ５７又はヘッドホンユニット５９から出力させる処理を実行する。またそれと共に、内蔵マイクロホン５８又はヘッドホンユニット５９に入力された利用者の声を音声入出力Ｉ／Ｆ５６を介して取り込み、音声認識処理する。
【００３２】
生体データ管理プログラム３１ｄは、上記入力された個人データに含まれる利用者の年齢や性別、身長や体重等に基づいて後述する管理装置ＣＳで設定される適正値を表示部６２に表示させると共に、上記センサユニットＳＵ１〜ＳＵｎから取得した生体データをもとに数値やグラフ等により表される表示データを作成し、この作成した表示データを表示部６２に表示させる処理を実行する。また、運動中に刻々と変化する生体データの推移を表示部６２に表示させる処理も実行する。これにより、利用者が利用者端末ＵＴ１〜ＵＴｎの近傍で運動を行っている場合には、利用者は運動しながら運動の指導内容と生体データの推移を確認することができる。さらに、上記生体データ記憶エリア３２ｂに記憶された生体データを利用者の要求に応じて読み出して表示部６２に表示させる処理も実行する。
【００３３】
メール起動プログラム３１ｅは、生体データや、上記音声認識処理により得られる利用者の音声の文字メッセージを、携帯通信端末ＭＴ１〜ＭＴｎが備えるメール通信機能を用いて管理装置ＣＳへ送信する処理を実行する。通常、携帯通信端末では利用者の意志によって送信操作を行わなければメールは送信されない。しかし、上記メール起動プログラム３１ｅにより、上記運動中に送受信する必要があるデータは自動的にメールにて送受信される。
【００３４】
利用者端末ＵＴ１〜ＵＴｎは例えばパーソナル・コンピュータからなり、次のような機能を備える。図５はその構成を示すブロック図である。  
すなわち、利用者端末ＵＴ１〜ＵＴｎは、中央処理ユニット（ＣＰＵ：Central Processing Unit）７１を備える。このＣＰＵ７１には、バス７２を介してプログラムメモリ７３及びデータメモリ７４が接続され、さらに通信インタフェース（通信Ｉ／Ｆ）７５、携帯通信インタフェース（携帯通信Ｉ／Ｆ）７６及び入出力インタフェース（入出力Ｉ／Ｆ）７７がそれぞれ接続されている。
【００３５】
通信Ｉ／Ｆ７５は、ＣＰＵ７１の制御の下で、管理装置ＣＳとの間で通信ネットワークＮＷにより規定される通信プロトコルに従って双方向の通信を行う。通信プロトコルとしては、例えばＴＣＰ／ＩＰ（Transmission Control Protocol/Internet Protocol）が使用される。
【００３６】
入出力Ｉ／Ｆ７７には、キーボード等を備える入力部７８、ＬＣＤ等の表示部７９及びスピーカ８０が接続される。入出力Ｉ／Ｆ７７は、上記入力部７８において入力されたデータの取り込みと、表示データを表示部７９に表示させるための処理と、音声データをスピーカ８０から出力させるための処理を行う。
【００３７】
データメモリ７４は、例えばハードディスクやフラッシュメモリ、ＲＡＭ等を記憶媒体として使用したもので、生体データ記憶エリア７４ａと、運動シナリオ記憶エリア７４ｂを備えている。  
生体データ記憶エリア７４ａには、上記センサユニットＳＵ１〜ＳＵｎにより検出され、携帯通信端末ＭＴ１〜ＭＴｎから送られた生体データが蓄積される。生体データには、先に述べたように利用者の心拍又は脈拍数、血圧値、体温、発汗の量、利用者の動きの量、紫外線の強さ、気象データ、身体の傾き、利用者の現在位置が含まれる。  
運動シナリオ記憶エリア７４ｂには、後述する管理装置ＣＳから配信される、現在実行中あるいは次に実行される運動シナリオと、過去１週間、又は１ヶ月といった所定期間に実行された運動シナリオが記憶される。
【００３８】
プログラムメモリ７３には、この発明に係わるアプリケーション・プログラムとして、個人データ設定送信制御プログラム７３ａと、データ中継転送制御プログラム７３ｂと、運動シナリオ・結果提示制御プログラム７３ｃが格納されている。  
個人データ設定送信制御プログラム７３ａは、利用者による個人データ及び運動目的を表すデータの入力を受け付け、この入力された個人データ及び運動目的を表すデータを通信Ｉ／Ｆ７５から管理装置ＣＳに向け送信する処理を実行する。例えば、利用者の操作に応じて管理装置ＣＳによりＷｅｂ上に開示されるホームページに対しアクセスし、このホームページの入力画面において利用者が入力した個人データ及び運動目的を表すデータを取り込む。なお、上記ホームページに対しアクセスするには事前の会員登録が必要であり、この会員登録により管理装置ＣＳから付与される利用者ＩＤとパスワードを入力することにより上記ホームページのアクセスが可能となる。
【００３９】
個人データは、利用者の会員番号と属性情報とから構成される。属性情報には、住所、氏名、年齢、性別、職業を始め、必要に応じて家族構成、身長、体重、運動履歴、病歴、医療機関による診断内容（高血圧、糖尿等）、嗜好、コメント等が含まれる。運動の目的を表すデータは、介護予防のための転倒予防や生活習慣病予防又は改善、ダイエット（ウエイトダウン、部分痩せ（足、腕、ウエスト等））、筋力増強、運動不足解消（ウォーキング、ジョギング、肩こり解消、腰痛解消、全身体操等）、リフレッシュ（全身のリラックス運動、デスクワーク疲労の解消等）等からなる。さらに、予定運動継続期間（３ヶ月、６ヶ月等）、平均的な予定運動実施頻度と時間帯（平日は毎日午前１０時から１０時半と午後８時から８時半、土日は午後８時から９時等）を表す情報も含まれる。なお、運動目的がダイエットの場合には、身長、体重に加えて、胸囲、胴囲、腰囲、太股、脹ら脛、上腕部等のサイズを個人データに加えてもよい。
【００４０】
データ中継転送制御プログラム７３ｂは、管理装置ＣＳと携帯通信端末ＭＴ１〜ＭＴｎとの間で、生体データ、運動シナリオ及び利用者の音声メッセージを中継転送するための処理を実行する。
運動シナリオ・結果提示制御プログラム７３ｃは、利用者の要求に応じ、過去に使用された運動シナリオを上記運動シナリオ記憶エリア７４ｂから読み出して表示部７９に表示させたり、運動後の生体データの変化等、利用者の運動結果を表すデータを生体データ記憶エリア７４ａから読み出して表示部７９に表示させるための処理を実行する。
【００４１】
一方、管理装置ＣＳはＷｅｂサーバにより構成されるもので、次のような機能を備えている。図６はその構成を示すブロック図である。  
すなわち、管理装置ＣＳはＣＰＵ４１を備える。このＣＰＵ４１には、バス４２を介してプログラムメモリ４３及びデータベース４４が接続され、さらに通信インタフェース（通信Ｉ／Ｆ）４５及び外部記憶インタフェース（外部記憶Ｉ／Ｆ）４６がそれぞれ接続されている。
【００４２】
通信Ｉ／Ｆ４５は、ＣＰＵ４１の制御の下で、利用者端末ＵＴ１〜ＵＴｎとの間で通信ネットワークＮＷにより規定される通信プロトコルに従って通信を行う。通信プロトコルとしては、例えばＴＣＰ／ＩＰ（Transmission Control Protocol/Internet Protocol）が使用される。  
外部記憶Ｉ／Ｆ４６は、別途編集・制作された運動コンテンツデータをＣＤＲＯＭやＤＶＤ、メモリカード等の外部記憶媒体ＤＳＫから取り込むために使用される。上記運動コンテンツデータは運動シナリオを構成する素材として使用される。
【００４３】
データベース３４は、例えばハードディスクやフラッシュメモリ、ＲＡＭ等を記憶媒体として使用したもので、個人データ記憶エリア４４ａと、基礎データ記憶エリア４４ｂと、運動データ記憶エリア４４ｃと、過去データ記憶エリア４４ｄを備えている。  
個人データ記憶エリア４４ａには、利用者端末ＵＴ１〜ＵＴｎから送られた利用者の個人データと利用者個人の基準となる生体データが記憶される。個人情報には、利用者の運動目的を表すデータも含まれる。基礎データ記憶エリア４４ｂには、利用者ごとにその年齢や性別、体型等に基づいた基礎となる生体データが記憶される。過去データ記憶エリア４４ｄには、各個人の過去の生体データが記憶される。
【００４４】
運動データ記憶エリア４４ｃには、運動シナリオを構成する複数の運動コンテンツデータが記憶される。運動コンテンツデータは、指導者の映像を編集した映像データと、指導内容やガイダンスを表す文字メッセージとから構成され、各データにはメタ情報が付加されている。メタ情報は、その属性（ストレッチ運動、有酸素運動、筋力トレーニングすなわちレジスタンス運動、コーディネーション運動等）と、運動強度、ストレッチ効果の度合、筋力向上度とその部位、シェイプアップの度合とその部位、リフレッシュの度合、リラックスの度合、楽しさの度合、柔軟度合とその部位、動かす（運動負荷のかかる）身体の部位、どんな目的に適した運動か、どんな人には適さないか等の各種情報を含む。
【００４５】
プログラムメモリ４３は、例えばＲＯＭ又はハードディスクにより構成される。そしてこのプログラムメモリには、利用者情報管理プログラム４３ａと、分析プログラム４３ｂと、運動シナリオ作成プログラム４３ｃと、配信制御プログラム４３ｄと、気象予報データ取得制御プログラム４３ｅが記憶されている。
【００４６】
利用者情報管理プログラム４３ａは、通信Ｉ／Ｆ４５により利用者端末ＵＴ１〜ＵＴｎとの間で通信を行うことで利用者の個人データ及び生体データを受信し、受信した個人データ及び生体データを上記個人データ記憶エリア４４ａに記憶する処理を実行する。  
気象予報データ取得制御プログラム４３ｄは、生体データに含まれる利用者の位置データをもとに、当該位置データにより表される地域の気象予報データを、例えば気象情報提供機関のサイトにアクセスして取得する処理を実行する。
【００４７】
分析プログラム４３ｂは、個人データ記憶エリア４４ａに記憶された利用者の個人データ（運動の目的や病歴、負荷をかけられない身体の疾病部位等）、平常時の生体データ（血圧や心拍、体温、簡単な問診結果等）、利用者の希望（リフレッシュしたいか、どこか具合の悪いところはないか、運動可能な時間はどの程度か等）、既に実施した運動シナリオが過去データ記憶エリア４４ｄに記憶されている場合にはそのときの生体データの変化履歴や傾向性を表すデータ（筋力トレーニングが足りない、運動強度がやや強いと心拍が上昇しやすい等）を分析する。
【００４８】
そして、この分析結果をもとに運動に求める項目の抽出とその優先順位付けを行い、このデータを運動基礎データとして基礎データ記憶エリア４４ｂに保管する。運動に求める項目は各運動コンテンツの特徴を表す項目でもあり、運動強度、ストレッチ効果、筋力向上度合とその部位、シェイプアップ効果とその部位、リフレッシュ効果、リラックス効果、楽しさの度合、柔軟効果とその部位等からなる。
【００４９】
また分析プログラム４３ｂは、利用者の身体の疾患部位及び問診結果から得られた運動当日の体調データを分析し、禁止項目を抽出する。例えば３ヶ月前に交通事故で肩を損傷し今もなお通院中の人であって今日は腰が痛い場合には、禁止項目として「肩を動かす運動」「腰を動かす運動」を抽出する。そして、この抽出された禁止項目を、他のデータよりも優先させるため重み付けして記憶する。
【００５０】
さらに分析プログラム４３ｂは、運動実施直前の体調データ（血圧や心拍、体温、簡単な問診結果等）、個人の希望事項（リフレッシュしたいか、気分は晴れやかか、今日は膝が痛いので椅子に座って体操したい、運動可能な時間は２０分等）に基づく分析結果を、平常時の運動基礎データと比較する。そして、変更すべき項目と追加すべき項目を抽出して、これらの項目に対する優先順位付けを再度行い、その結果を差分データとして基礎データ記憶エリア４４ｂに保管する。
【００５１】
さらに分析プログラム４３ｂは、利用者端末ＵＴ１〜ＵＴｎから刻々と送信される生体データに基づいて、利用者の体調や体力の状況等を分析する。例えば、心拍センサ１１による心拍数の変化、血圧センサ１２による血圧の上昇、体温センサ１３による体温の変化、発汗センサ１４により発汗量、ＵＶセンサ２２による紫外線量、気象センサ２３による外気温や湿度の変化、また歩数センサ１５や加速度センサ１６によって利用者の身体への影響や消費エネルギが分析される。そして、例えば心拍や血圧等が予め設定した要注意範囲に入ったか否かを判定し、入った場合に差分データを生成する。また、上記運動中の心拍や血圧等が予め設定した危険範囲に入ったか否かについても判定し、入った場合には運動停止要求を生成する。
【００５２】
上記分析方法として、重回帰分析、数量化理論Ｉ類等を始めとする多変量解析を用いることが考えられる。例えば、運動の目的をダイエットとした場合には、目的変数を体重とすると、年齢、性別、現在の体重、体調等の説明変数の影響度を求め、目的体重に至るまでに消費しなければならないエネルギを推定する。また、ウォーキングが何分、ジョギングが何分、連続何日といった運動の質的説明変数から目的とする体重までの期間を予測する。
【００５３】
さらに分析プログラム４３ｂは、携帯通信端末ＭＴ１〜ＭＴｎから利用者端末ＵＴ１〜ＵＴｎを介してメールにより送られる利用者のメッセージの内容を分析する。例えば、利用者が「苦しい」と発した場合に、音声認識により「く・る・し・い」という利用者の状態を検出する。そして、当該利用者の現時点での生体データを取得し、取得した生体データに含まれる心拍数や血圧値、発汗の状態等をもとに運動を続けるか休むことが必要かを判断する。
【００５４】
さらに分析プログラム４３ｂは、上記気象予報データ取得プログラム４３ｅにより取得される利用者の現在位置における気象予報データを分析する。そして、この分析結果と、利用者の現在の生体データとをもとに、現在利用者が使用中の運動シナリオを修正するための差分データを生成する。
【００５５】
運動シナリオ作成プログラム４３ｃは、上記基礎データ記憶エリア４４ｂに記憶された運動基礎データをもとに運動予定期間全体の基本的な運動シナリオを作成し、この作成されたシナリオを運動シナリオ基本データとして運動データ記憶エリア４４ｃに保管する。例えば、運動基礎データとして転倒予防の目的が優先され、高齢者のため運動時間と運動強度を徐々に増大させていくよう指示されている場合には、運動コンテンツのメタ情報から転倒予防目的のものを選択する。そして、ストレッチ運動と、転倒予防につながる身体の部位の筋力トレーニングと、バランス力を向上させるコーディネーション運動とを組み合わせた基本的な転倒予防の運動シナリオを作成する。運動コンテンツの全体の長さは、例えば最初の１週間は１０分、次の１週間は２０分、その後は３０分となるように定める。
【００５６】
また運動シナリオ作成プログラム４３ｃは、利用者の運動開始時点で、上記分析プログラム４３ｂにより得られた差分データを考慮し、さらに運動コンテンツデータに付加されるメタ情報を参考にして、運動シナリオ基本データをもとに実際に配信する運動シナリオを作成する。例えば、生活習慣病予防の目的であって、昨日から膝が痛いので負荷をかけたくない利用者に対しては、基本運動シナリオで用意されている、立って行う運動を椅子に座って行う運動に切り替えて、運動シナリオを作成し直す。
【００５７】
さらに運動シナリオ作成プログラム４３ｃは、利用者の運動期間中に、上記分析プログラム４３ｂにより新たな差分データが生成されると、この差分データをもとに該当する利用者の運動シナリオを変更する。例えば差分データが負荷を減少させるものであれば、運動を少し休むか運動強度の低いシナリオに変更する。その際、変更後のシナリオには、「今日はこのくらいにしましょう」等の文字メッセージを含める。反対に差分データが負荷を増加させるものであれば、負荷の高い運動シナリオに変更する。その際、変更後のシナリオとしては「もう少し頑張りましょう」等の文字メッセージを含める。また、分析プログラム４３ｂにより、心拍や血圧等の生体データが危険範囲を超えたと判定された場合には、運動を直ちに中止させるための運動停止指示情報を生成する。
【００５８】
なお、運動シナリオ作成プログラム４３ｃは、分析プログラム４３ｂにより与えられる差分データをもとに、利用者の現在位置における気象予報データが変化した場合にも、その変化と利用者自身の生体データを考慮して運動プログラムを変更する。例えば、気温が上昇しそうな場合でかつ利用者の発汗が多い場合には運動負荷を軽くするように運動シナリオを変更する。また、紫外線量がしきい値より多い場合には、屋外運動の時間が短くなるように運動シナリオを変更する。その際、変更後の運動シナリオには、「帽子を着用しましょう」、「今日は紫外線が強いので外での運動は１時間以内にしましょう」等のメッセージを加える。さらに、気象予報データの分析結果から、１時間後に降雨が予想されている場合や外気温が３２℃を超えて不快指数も高い場合には、屋外運動のシナリオを屋内運動に変更する。
【００５９】
さらに運動シナリオ作成プログラム４３ｃは、利用者の運動の目的が、脂肪を燃焼させるダイエットの場合には、ダイエット目的特有の運動シナリオを選択する。例えば、最大心拍数の６５％前後となる運動強度を保つと、脂肪が最も効果的に燃焼されることが知られている。  
最大心拍数は、基礎体力の有無によって年齢から、基礎体力がある場合は：２０５−（年齢×０．５）、基礎体力が無い場合は：２１０−（年齢×０．８）の式で求められる。例えば、日ごろ運動をしていない４０歳の人の最大心拍数は２１０−（４０×０．８）＝１７８拍／分と推定できる。そのため、脂肪を効率的に燃やすには、この６５％である１１５．７泊／分になるように有酸素運動を継続するシナリオを作成する。単調なシナリオの場合は継続が困難なため、過去の運動シナリオを参照してシナリオに変化を持たせるとともに、明るい音楽を使用するなど楽しさの度合いも勘案しながらシナリオを作成する。
【００６０】
さらに、心拍センサの値がこれより低いときには、もう少し運動強度の高いメニューにシナリオ変更し、逆に高くなりすぎると糖質しか燃えなくなるので運動強度の低いメニューにシナリオ変更する。心拍数は運動強度と比例するが、利用者が６５％ではきついと感じて例えば「ちょっときついです」といった音声メッセージを発した場合には、管理装置ＣＳは例えば心拍数を最大心拍数の５５％程度に落とした運動強度となるように運動シナリオを作成する。その際、運動シナリオには、「運動強度を軽くしました」といったメッセージを含める。
【００６１】
次に、以上のように構成された運動指導システムの動作を説明する。図７及び図８はセンサユニットＳＵ１〜ＳＵｎ、携帯通信端末ＭＴ１〜ＭＴｎ、利用者端末ＵＴ１〜ＵＴｎ及び管理装置ＣＳの制御手順と制御内容を示すフローチャートである。
管理装置ＣＳは、運動指導サービスの提供を案内するホームページをステップＳ１によりＷｅｂ上に公開する。このホームページには、会員募集要項や施設の説明、提供可能な運動の内容等が提示される。例えば、スポーツクラブやフィットネスクラブ等のトレーニング推奨団体が管理装置ＣＳを運営する場合には、利用者が希望すると予想される様々な目的を想定して複数種類の運動シナリオが予め用意される。
【００６２】
想定される運動シナリオとしては、「ダイエット体操」、「生活習慣病予防体操」、「転倒予防体操」、「健康維持運動」、「運動不足解消体操」、「ヨガ」等がある。例えば「ダイエット体操」のシナリオを例に挙げると、「ダイエット体操」にも「足痩せ体操」、「バストアップ体操」、及び「脂肪燃焼体操」等の様々な種類があり、シナリオごとに当該シナリオを構成するために必要な運動コンテンツデータが運動データ記憶エリア４４ｃに予め記憶される。  
【００６３】
また管理装置ＣＳは、ステップＳ２において、一般的な人の年齢や性別、身長、体重、職業等に基づいた心拍数、血圧、体温等の基準値を基礎データとして記憶する。この基礎データは利用者の体調の基本状態を判定するために使用される。
【００６４】
一方、上記運動指導サービスを利用する場合に利用者が、自身の利用者端末（例えばＵＴ１）においてＷｅｂ上の該当するホームページを開くための操作を行ったとする。そうすると利用者端末ＵＴ１のＣＰＵ７１は、ステップＳ３においてブラウザ機能を起動して上記ホームページに対しアクセスし、その会員登録画面の表示データをダウンロードして表示部７９に表示する。この状態で、利用者が会員登録画面において会員登録のための入力操作を行ったとすると、ＣＰＵ７１はステップＳ４において入力された利用者の氏名、住所、年齢、性別等の個人データと、運動目的を表すデータをそれぞれ取り込み、これらのデータをステップＳ５により通信Ｉ／Ｆ７５から管理装置ＣＳへ送信する。
【００６５】
これに対し管理装置ＣＳは、ステップＳ６により上記利用者端末ＵＴ１から会員登録のための入力データを受信すると、ステップＳ７により登録要求元の利用者に対して利用者ＩＤとパスワードを発行し、この発行した利用者ＩＤとパスワードをステップＳ８により利用者端末ＵＴ１へ送信する。そして、上記受信された個人データ及び運動目的データを、ステップＳ９によりデータベース４４内の個人データ記憶エリア４４ａに記憶する。利用者端末ＵＴ１は、上記管理装置ＣＳから送られた利用者ＩＤとパスワードをステップＳ１１により受信して記憶する。
【００６６】
また管理装置ＣＳは、ステップＳ１０により携帯通信端末ＭＴ１で必要なプログラムを送信する。携帯通信端末ＭＴ１で必要なプログラムとしては、基本的な運動シナリオプログラム３１ａ、音楽選択プログラム３１ｂ、音声認識・合成プログラム３１ｃ、生体データ管理プログラム３１ｄ、メール起動プログラム３１ｅがある。上記管理装置ＣＳから送信されたプログラムは、一旦利用者端末ＵＴ１により受信・記憶されたのち、当該利用者端末ＵＴ１から携帯通信端末ＭＴ１へ送信される（ステップＳ１２）。
【００６７】
利用者は、自身の携帯通信端末ＭＴ１の電源を投入したのちメモリカードＭＣを挿着する。携帯通信端末ＭＴ１はステップＳ１３により上記メモリカードＭＣの挿着を確認すると、続いてステップＳ１４により上記利用者端末ＵＴ１が送信するプログラムを受信する。そして、この受信されたプログラムを図４に示すようにメモリカードＭＣ内のプログラムエリア３１に記憶する。
【００６８】
さて、運動を開始する場合に利用者は、自身の身体にセンサユニットＳＵ１を取着し、このセンサユニットＳＵ１の各センサを起動する。このとき利用者は、屋外で運動を行う場合にはＧＰＳ受信機１９のスイッチを投入する。センサユニットＳＵ１は、ステップＳ１６でＧＰＳ受信機１９のスイッチ投入を検出すると、ステップＳ１７によりジャイロセンサ１８及びＧＰＳ受信機１９を作動させ、しかるのちステップＳ１８により各センサ１１〜２３の検出データを生体データとして通信回路２０から携帯通信端末ＭＴ１へ送信する（ステップＳ１９）。
【００６９】
携帯通信端末ＭＴ１は、ステップＳ２０において、上記センサユニットＳＵ１から送信された利用者の運動直前の生体データを簡易通信回路５４により受信したのち、通信回路５２から利用者端末ＵＴ１へ送信する。利用者端末ＵＴ１は、上記携帯通信端末ＭＴ１から送信された生体データを携帯通信Ｉ／Ｆ７６により受信すると、この受信された生体データを生体データ記憶エリア７４ａに記憶したのち、通信Ｉ／Ｆ７５から管理装置ＣＳへ送信する。
【００７０】
管理装置ＣＳは、ステップＳ２２において、上記利用者端末ＵＴ１から送信された生体データを通信Ｉ／Ｆ４５で受信すると、この受信された生体データをデータベース４４の過去データ４４ｄに記憶したのち、ステップＳ２３により分析プログラム４３ｂを実行する。そして、上記受信された利用者の運動直前の生体データと、同時に利用者が利用者端末ＵＴ１において入力した個人の希望事項（リフレッシュしたいか、気分は晴れやかか、今日は膝が痛いので椅子に座って体操したい、運動可能な時間は２０分等）を分析し、その分析結果を平常時の運動基礎データと比較する。そして、変更すべき項目と追加すべき項目を抽出して、これらの項目に対する優先順位付けを再度行い、その結果を差分データとして保管する。
【００７１】
続いて管理装置ＣＳは、ステップＳ２４により運動シナリオ作成プログラム４３ｃを実行し、上記分析プログラム４３ｂにより得られた差分データを考慮し、さらに運動コンテンツデータに付加されるメタ情報を参考にして、予め作成されている運動シナリオ基本データをもとに実際に配信する運動シナリオを作成する。そして、この作成された運動シナリオをステップＳ２５により利用者端末ＵＴ１へ送信する。
【００７２】
利用者端末ＵＴ１は、ステップＳ２６において、上記管理装置ＣＳから送信された運動シナリオを通信Ｉ／Ｆ７５により受信し、この受信された運動シナリオを運動シナリオ記憶エリア７４ｂに記憶する。そして、この記憶された運動シナリオをステップＳ２９で表示部７９に表示する。したがって、利用者は利用者端末ＵＴ１の表示部７９を見ることにより配信された運動シナリオを確認することが可能となる。
【００７３】
またそれと共に利用者端末ＵＴ１は、上記受信された運動シナリオを携帯通信端末ＭＴ１へ送信する。携帯通信端末ＭＴ１は、上記利用者端末ＵＴ１から送信された運動シナリオをステップＳ２７で受信すると、運動シナリオ記憶エリア３２ｃに記憶する。そして、ステップＳ２８により上記運動シナリオを実行する。
【００７４】
例えば、運動シナリオの先頭には運動開始を促す文字メッセージが含まれており、この文字メッセージが音声認識・合成プログラム３１ｃにより音声データに変換されて内蔵スピーカ５７又はヘッドホンユニット５９から出力される。運動開始を促すメッセージとしては例えば「さあ運動を始めましょう」が用いられる。
【００７５】
続いて、上記運動シナリオの内容に含まれる指導内容を表す音声データが復号され、内蔵スピーカ５７又はヘッドホンユニット５９から出力される。なお、上記運動コンテンツデータに指導内容を表す映像データが含まれる場合には、この映像データを復号して携帯通信端末ＭＴ１の表示部６２に表示することも可能である。また、上記運動コンテンツデータに文字メッセージが含まれている場合には、この文字メッセージが音声認識・合成プログラム３１ｃにより音声データに変換されて内蔵スピーカ５７又はヘッドホンユニット５９から出力される。
【００７６】
またそれと共に、上記運動シナリオの内容に対応する音楽データが音楽データ記憶エリア３２ａから選択的に読み出され、この読み出された音楽データが上記内蔵スピーカ５７又はヘッドホンユニット５９から出力される。したがって、以後利用者は、上記内蔵スピーカ５７又はヘッドホンユニット５９から出力される指導音声やメッセージを聞きながら、さらにこれらと同時に出力される音楽のテンポ又はリズムに乗って運動を行うことができる。
【００７７】
一方、上記運動が開始されるとセンサユニットＳＵ１では、図８に示すようにステップＳ３０において所定時間ごと、例えば１分おき、３分おき、或いは５分おきに、各センサの検出データが取得され、これらの検出データが運動中の利用者の生体データとしてステップＳ３１により携帯通信端末ＭＴ１へ送信される。
【００７８】
携帯通信端末ＭＴ１は、上記センサユニットＳＵ１から送信される生体データをステップＳ３２で受信すると、この受信された生体データを利用者端末ＵＴ１へ送信する。利用者端末ＵＴ１は、上記携帯通信端末ＭＴ１から送信された生体データをステップＳ３３で受信し記憶したのち、管理装置ＣＳへ送信する。なお、携帯通信端末ＭＴ１又は利用者端末ＵＴ１が上記生体データを送信する際に、取得された生体データが前回取得した生体データに対し一定量以上変化したか否かを判定し、一定量以上の変化が検出された場合にのみこの変化後の生体データ又は差分データを送信するようにしてもよい。
【００７９】
これに対し管理装置ＣＳは、上記利用者端末ＵＴ１から送信された生体データをステップＳ３４で受信すると、この受信された生体データを過去データ記憶エリア４４ｄに記憶したのち、ステップＳ３５に移行してここで生体データの分析を行う。すなわち、受信された運動中の生体データと個人データ記憶エリア４４ａに記憶された個人データとをもとに、運動中の利用者の体調や体力の状況の変化を分析する。そして、その分析結果をもとにステップＳ３６により運動シナリオの修正を行って、この変更されたシナリオをステップＳ３７により利用者端末ＵＴ１に送信する。
【００８０】
利用者端末ＵＴ１は、上記変更された運動シナリオをステップＳ３８で受信すると、運動シナリオ記憶エリア７４ｂに記憶したのち、携帯通信端末ＭＴ１へ転送する。携帯通信端末ＭＴ１は、上記利用者端末ＵＴ１から転送された運動シナリオをステップＳ３９で受信すると、運動シナリオ記憶エリア３２ｃに記憶されている運動シナリオを上記受信された修正された運動シナリオにステップＳ４０で書き換える。そして、以後この変更された運動シナリオに従い指導音声及びメッセージを内蔵スピーカ５７又はヘッドホンユニット５９から出力すると共に、音楽データ記憶エリア３２ａから上記変更されたシナリオの内容に対応する音楽データを読み出して出力する。
【００８１】
かくして、運動中に刻々と変化する利用者の生体データに応じて運動シナリオが自動的に変更され、利用者はこの運動シナリオに従い自身の生体データに応じた最適な運動を行うことができる。  
例えば、上記利用者の体調を分析した結果、生体データの変化が正常範囲内であれば、当該生体データの変化に応じて音楽のテンポを許容範囲内で変化させるようにシナリオが変更され、この変更されたシナリオに従い利用者は運動を継続できる。これに対し上記分析の結果、例えば運動中の利用者の心拍や血圧等が予め設定した要注意範囲に入ったとする。この場合管理装置ＣＳは、利用者の運動シナリオを少し休むか運動強度の低いシナリオに変更して送信する。その際、変更後のシナリオには「運動を止めて少し休憩しましょう」等の文字メッセージを加える。この文字メッセージは、音声認識・合成プログラム３１ｃにより音声メッセージに変換されて内蔵スピーカ５７又はヘッドホンユニット５９から出力される。したがって、利用者はこの音声メッセージにより指示を確認して運動を暫く休むことができる。
【００８２】
また、上記分析の結果、運動中の心拍や血圧等が予め設定した危険範囲に入った場合には、管理装置ＣＳは運動を直ちに中止させるための運動停止指示を送信する。この運動停止指示を受信すると利用者端末ＵＴ１は、ステップＳ２５により運動コンテンツの再生を停止する。その際、上記運動停止指示に「直ちに運動を終了し、安静にしてください」、「気分が悪い場合にはその旨をお知らせ下さい」といったメッセージを加えておけば、このメッセージが音声メッセージに変換されて内蔵スピーカ５７又はヘッドホンユニット５９から出力される。したがって、利用者は直ちに運動を終了することができる。
【００８３】
またこのとき気分が悪ければ、利用者はその旨をヘッドホンユニット５９に音声入力すればよい。このようにすると、入力された音声回答メッセージが音声認識・合成プログラム３１ｃにより文字メッセージに変換されたのち、メールにより利用者端末ＵＴ１を介して管理装置ＣＳへ伝えられる。管理装置ＣＳでは、上記メールにて伝えられた音声回答メッセージが例えば指導員が所持する携帯端末に転送され、指導員に対し呼出報知が行われる。
【００８４】
さらに管理装置ＣＳは、生体データに含まれる外気温や湿度、紫外線量等を分析し、これらの気象データが変化した場合にも、その変化と利用者自身の生体データを考慮して運動プログラムを変更する。また管理装置ＣＳは、気象予報データ取得プログラム４３ｅにより利用者の現在位置における気象予報データを分析し、この分析結果と利用者の現在の生体データとをもとに、現在利用者が使用中の運動シナリオを変更する。したがって、利用者は屋外で運動を行っている際に、現在の気象データの変化や気象予報データを考慮して最適な運動を行うことが可能となる。
【００８５】
さらに管理装置ＣＳは、利用者の運動中に携帯通信端末ＭＴ１からメールにより通知された、利用者のメッセージを分析する。そして、例えば利用者が「苦しい」と発した場合には、利用者が異常な状態であることを口頭で申告したものと判断して、当該利用者の現時点での生体データを取得し、取得した生体データに含まれる心拍数や血圧値、発汗の状態等をもとに運動を続けるか休むことが必要かを判断する。そして、休憩させるべきであると判断すると、運動シナリオを少し休むか運動強度の低いシナリオに変更し、この変更されたシナリオを利用者端末ＵＴ１を経由して携帯通信端末ＭＴ１へ通知する。したがって、携帯通信端末ＭＴ１では運動シナリオの再生が停止され、この結果利用者は休憩することが可能となる。
【００８６】
さらに管理装置ＣＳは、携帯通信端末ＭＴ１から送られた生体データに含まれるジャイロセンサ１８の検出データを分析した結果、ジャイロセンサ１８の検出データが利用者の転倒を示唆するものだった場合には、即時「大丈夫ですか」といった文字メッセージを生成して携帯通信端末ＭＴ１へ送信する。
【００８７】
なお、ヨガ等の体操のように利用者が横になって行う運動シナリオが配信されている場合に、上記ジャイロセンサ１８の検出データをそのまま使用すると、転倒ではないにも拘わらず「転倒」と誤判定してしまう不具合を生じる。そこで、この場合には当該運動シナリオを構成する運動データのメタ情報に運動姿勢に関する情報を含めておき、この運動姿勢に関する情報を参照して転倒の有無を判定すればよい。
【００８８】
携帯通信端末ＭＴ１では、上記文字メッセージが音声メッセージに変換されたのち内蔵スピーカ５７又はヘッドホンユニット５９から出力する。そして、この音声メッセージによる問い合わせに対し一定時間以内に利用者から応答メッセージが返送されなかったとする。そうすると、管理装置ＣＳは生体データに含まれるＧＰＳ受信機１９の位置検出データをもとに利用者の現在位置を特定し、この現在位置情報をもとに指導員或いは救急隊員に対し派遣を要請したり、予め登録してある連絡先情報をもとに電話又はメールにより家族に知らせるといった緊急処置を実行する。
【００８９】
上記運動中に、上記運動シナリオの実行が終了するか、又は利用者が途中で終了要求を入力すると、携帯通信端末ＭＴ１はステップＳ４４からステップＳ４５に移行し、ここで運動終了メッセージを内蔵スピーカ５７又はヘッドホンユニット５９から出力する。またそれと共に上記運動終了通知をセンサユニットＳＵ１に送る。センサユニットＳＵ１は上記運動終了通知を受け取ると、生体データの検出動作を終了する。
【００９０】
なお、利用者の運動中にセンサユニットＳＵ１により検出された生体データは、利用者端末ＵＴ１において数値化されるか又は変化を示すグラフに変換され、運動コンテンツの映像データに重畳されて表示部３９に表示される。このため、利用者は運動を行いながら、自身の体調の変化を確認することが可能となり、これにより運動を自主的にセーブすることできる。
【００９１】
また、運動終了後に利用者が利用者端末ＵＴ１において運動結果の閲覧要求を入力すると、利用者端末ＵＴ１はステップＳ４２からステップＳ４３に移行し、ここでデータメモリ７４に記憶された運動結果を表すデータが読み出され、表示部７９に表示される。したがって利用者は運動終了後に、運動中における自身の生体データの変化等を確認することができる。
【００９２】
以上述べたようにこの実施形態では、利用者にその生体データを検出するセンサユニットＳＵ１〜ＳＵｎを装着すると共に、携帯通信端末ＭＴ１〜ＭＴｎを所持させる。そして、管理装置ＣＳにおいて、上記利用者の個人データ、生体データ及び運動目的を表すデータを分析し、その分析結果をもとに上記利用者に適する運動シナリオを作成して上記携帯通信端末に配信し利用者に提示するようにしている。  
したがって、利用者は、自宅や公園、路上等、任意の場所において、自身の個人データや生体データ、自身の運動の目的が反映された運動シナリオに従い運動を行うことが可能となる。すなわち、利用者は場所を選ぶことなく、あたかもスポーツジムやフィットネスクラブにおいてトレーナの指導を受けているかのように適切な運動を行うことが可能となる。
【００９３】
また、運動中に刻々と変化する利用者の生体データを携帯通信端末ＭＴ１〜ＭＴｎから利用者端末ＵＴ１〜ＵＴｎを経由して管理装置ＣＳへ送り、この運動中の利用者の生体データもとに運動シナリオを修正して携帯通信端末ＭＴ１〜ＭＴｎに配信し、利用者に提示する運動シナリオを更新するようにしている。  
したがって、運動中に利用者の生体データが変化すると、この変化に応じて運動シナリオが適応的に修正される。このため、利用者は運動中においても、常に刻々と変化する自身の体調変化に応じた最適な運動シナリオに従い運動を行うことができる。このため、利用者は運動中の体調変化も考慮して過不足なくかつ安全に運動を行うことができる。
【００９４】
さらに、携帯通信端末ＭＴ１〜ＭＴｎにおいて運動シナリオを提示する際に、管理装置ＣＳから配信された運動シナリオに含まれる文字データを音声データに変換し、この変換された音声データを携帯通信端末ＭＴ１〜ＭＴｎの内蔵スピーカ５７又はヘッドホンユニット５９から出力するようにしている。  
したがって、利用者は携帯通信端末ＭＴ１〜ＭＴｎの表示部６２に表示される文字メッセージを、運動しながら或いは運動を中断して見る必要がなく、運動しながら音声メッセージにより運動の指導内容を確認することができる。
【００９５】
さらに、携帯通信端末ＭＴ１〜ＭＴｎに音調の異なる複数の音楽データを記憶しておき、運動シナリオを提示する際に、管理装置ＣＳから配信された運動シナリオの内容に対応する音調の音楽データを上記記憶された複数の音楽データの中から選択する。そして、この選択された音楽データを携帯通信端末ＭＴ１〜ＭＴｎの内蔵スピーカ５７又はヘッドホンユニット５９から出力するようにしている。  
したがって、運動中に携帯通信端末ＭＴ１〜ＭＴｎからは運動シナリオの内容に対応する音調の音楽が出力される。このため、利用者は提示された運動シナリオの内容に合ったテンポの音楽に乗ってリズミカルに楽しく運動を行うことが可能となる。
【００９６】
さらに、ジャイロセンサ１８の検出データを分析することにより利用者の転倒の有無を判定し、転倒と判断される場合に状況を問い合わせるメッセージを携帯通信端末ＭＴ１へ送信し、内蔵スピーカ５７又はヘッドホンユニット５９から出力するようにしている。そして、この問い合わせに対し一定時間以内に利用者が応答しない場合に、ＧＰＳ受信機１９により検出された位置データから利用者の現在位置を把握して、現地に救助要員を派遣するようにしている。  
したがって、屋外でジョギングなどを行っている利用者が倒れた場合に、迅速かつ確実に適切な処置を講じることが可能となる。
【００９７】
なお、この発明は上記実施形態に限定されるものではない。例えば、前記実施形態では例えば、年齢、性別、職業等の個人データを固定的なデータとして基準値を得るために使用し、心拍数、血圧、体温等のデータを変動的なデータとしてその時々の利用者の状態を分析するものとして説明した。しかし、分析に使用するデータは、固定的なデータ、変動的なデータを取り混ぜて行ってもよく、最適な分析を行うことができるのであれば、使用するデータの選択は特に限定されない。
【００９８】
また、生体データの分析においては、上記多変量解析に限らず、データマイニング、ニューロ理論やカオス理論に基づいて生体データに曖昧さを持たせて分析を行ってもよく、利用者に適切な運動指示を行うことができれば分析方法は特に限定されない。
さらに、前記実施形態では、運動を運動シナリオにそって連続して行う場合について説明したが、運動シナリオは１日単位、つまり朝「ストレッチ体操を２０分」、その後続けて「ウォーキングを３０分」、夕方に「エアロビクスを３０分」に分割して行うものでもよく、運動シナリオによる効果が得られれば１週間単位、１ヶ月単位であってもよい。
【００９９】
さらに、前記実施形態では、検出した生体データに変化があったときにのみ、生体データを利用者端末ＵＴ１〜ＵＴｎから管理装置ＣＳに送信するものとして説明したが、所定時間間隔で生体データを管理装置ＣＳに送信するようにしてもよく、生体データを送信するタイミングは特に限定されない。
【０１００】
さらに、前記実施形態では携帯通信端末ＭＴ１〜ＭＴｎと管理装置ＣＳとの間の各種データの転送を、利用者端末ＵＴ１〜ＵＴｎを介して行うようにした。しかし、それに限らず、管理装置ＣＳに利用者端末の機能を持たせ、この管理装置ＣＳと携帯通信端末ＭＴ１〜ＭＴｎとの間で各種データを直接無線伝送するようにしてもよい。この場合、携帯通信端末ＭＴ１〜ＭＴｎと管理装置ＣＳとの間の通信は、移動通信網を利用しかつプロトコルとしてＩＰ（Internet Protocol）を使用して行われる。
【０１０１】
また、運動シナリオに映像データが含まれる場合、この映像データは携帯通信端末ＭＴ１〜ＭＴｎの表示部６２に表示されることになり、利用者にとっては視認しにくくなる。そこで、ヘッドマウントディスプレイ等の外部表示器を用意し、このヘッドマウントディスプレイに対し携帯通信端末ＭＴ１〜ＭＴｎに備えられている簡易通信回路５４から映像データを転送して表示させる。このようにすると、利用者は携帯通信端末ＭＴ１〜ＭＴｎの表示部６２を見ながら運動する必要がなくなり、これにより制約を受けることなく常に自然な姿勢で運動を行うことができる。なお、携帯通信端末ＭＴ１〜ＭＴｎから外部表示器へのデータ転送手段としては、簡易無線インタフェースを使用する以外に、運動の障害にならない範囲で信号ケーブルを使用することも可能である。
【０１０２】
さらに、前記実施形態では運動シナリオの内容に対応するテンポ又はリズムの音楽データを選択してスピーカから出力するようにした。しかしそれに限らず、運動シナリオの内容に対応するテンポ又はリズムに同期して、携帯通信端末が備える振動体（バイブレータ）を駆動するようにしてもよい。このようにすると、利用者は音を出すことを制限又は禁止された場所でも、提示された運動シナリオの内容に合ったテンポでリズミカルに運動を行うことが可能となる。また音に頼らないため、耳の不自由な利用者でも健常者と同様に運動シナリオにしたがって運動を行うことができる。
【０１０３】
また携帯通信端末としては、携帯電話機に限らず、ＰＤＡ（Personal Digital Assistant）やモバイルコンピュータ、腕時計タイプの情報端末、フラッシュメモリやハードディスクを使用したオーディオプレーヤ、ディジタルカメラ、携帯型ゲーム機などを用いることができる。その他、運動シナリオの種類や構成、運動シナリオの修正タイミング、センサユニット、携帯通信端末、利用者端末及び管理装置の構成や運動指導の制御手順等についても、この発明の要旨を逸脱しない範囲で種々変形して実施できる。
【０１０４】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【０１０５】
【図１】この発明に係わる運動指導システムの一実施形態を示す概略構成図。
【図２】図１に示したシステムで使用されるセンサユニットの構成を示すブロック図。
【図３】図１に示したシステムで使用される携帯通信端末の機能構成を示すブロック図。
【図４】図３に示した携帯通信端末と共に使用されるメモリカードに記憶されるプログラム及びデータの構成を示すブロック図。
【図５】図１に示したシステムで使用される利用者端末の機能構成を示すブロック図。
【図６】図１に示したシステムで使用される管理装置の機能構成を示すブロック図。
【図７】図１に示したシステムにおける運動指導制御手順と制御内容の前半部分を示すフローチャート。
【図８】図１に示したシステムにおける運動指導制御手順と制御内容の後半部分を示すフローチャート。
【符号の説明】
【０１０６】
ＵＴ１〜ＵＴｎ…利用者端末、ＣＳ…管理装置、ＮＷ…通信ネットワーク、ＳＵ１〜ＳＵｎ…センサユニット、ＭＣ…メモリカード、ＤＳＫ…外部記憶媒体、１０…センサ群、１１…心拍センサ、１２…血圧センサ、１３…体温センサ、１４…発汗センサ、１５…歩数センサ、１６…加速度センサ、１７…計時回路、１８…ジャイロセンサ、１９…ＧＰＳ受信機、２０…通信回路、２１…センサユニットのアンテナ、２２…ＵＶセンサ、３１…プログラムエリア、３１ａ…運動シナリオプログラム、３１ｂ…音楽選択プログラム、３１ｃ…音声認識合成プログラム、３１ｄ…生体データ管理プログラム、３１ｅ…メール起動プログラム、３２…データエリア、３２ａ…音楽データ記憶エリア、３２ｂ…生体データ記憶エリア、４１…管理装置のＣＰＵ、４２…管理装置のバス、４３…管理装置のプログラムメモリ、４３ａ…利用者情報管理制御プログラム、４３ｂ…分析プログラム、４３ｃ…運動シナリオ作成プログラム、４３ｄ…配信制御プログラム、４４…管理装置のデータベース、４４ａ…個人データ記憶エリア、４４ｂ…基礎データ記憶エリア、４４ｃ…運動データ記憶エリア、４４ｄ…過去データ記憶エリア、４５…管理装置の通信インタフェース、４６…外部記憶インタフェース、５１…携帯通信用アンテナ、５２…通信回路、５３…簡易通信用アンテナ、５４…簡易通信回路、５５…制御部、５６…音声入出力インタフェース、５７…内蔵スピーカ、５８…内蔵マイクロホン、５９…ヘッドホンユニット、６０…携帯通信端末の入出力インタフェース、６１…携帯通信端末の入力部、６２…携帯通信端末の表示部、６３…外部記憶インタフェース、７１…利用者端末のＣＰＵ、７２…利用者端末のバス、７３…利用者端末のプログラムメモリ、７３ａ…個人データ設定制御プログラム、７３ｂ…データ中継転送制御プログラム、７３ｃ…運動シナリオ・結果提示制御プログラム、７４…利用者端末のデータメモリ、７４ａ…生体データ記憶エリア、７４ｂ…運動シナリオ記憶エリア、７５…利用者端末の通信インタフェース、７６…携帯通信インタフェース、７７…利用者端末の入出力インタフェース、７８…利用者端末の入力部、７９…利用者端末の表示部、８０…スピーカ。
【図１】
2006263002.tif 000003
【図２】
2006263002.tif 000004
【図３】
2006263002.tif 000005
【図４】
2006263002.tif 000006
【図５】
2006263002.tif 000007
【図６】
2006263002.tif 000008
【図７】
2006263002.tif 000009
【図８】
2006263002.tif 000010